(57)【特許請求の範囲】
【請求項１】
一端が閉塞し、他端が開口する円筒部を有し、その円筒部の外周対向位置にカム片が形成された一対のカムピースを、上記円筒部の開口端を対向して結合一体化し、その一対の円筒部の突き合わせ端部内にカムプレートを組込んで回り止めし、上記各円筒部の閉塞端に円形孔を設け、その円形孔の内周対向位置に略９０°の扇形切欠部を形成し、上記カムプレートには半径方向に長い係合孔を設けた錠前におけるシリンダカム。
【発明の詳細な説明】
【０００１】
【発明の属する技術分野】
この発明は、引戸錠や開き戸錠等の錠前におけるシリンダカムに関するものである。
【０００２】
一般に、引き戸に取付けられる引戸錠においては、屋外側に取付けられたシリンダ錠のピンシリンダの回転又は屋内側に取付けられたサムターンの回転により錠前内部に組込まれたシリンダカムを回転して、施錠または解錠するようにしている。
【０００３】
また、開き戸に取付けられる開き戸錠においても、屋内側に取付けられたシリンダ錠のピンシリンダの回転又は屋内側に取付けられたサムターンの回転により錠箱内部に組込まれたシリンダカムを回転して、施錠又は解錠させるようにしている。
【０００４】
【発明が解決しようとする課題】
ところで、引戸錠や開き戸錠等の錠前に用いられるシリンダ錠およびサムターンはシリンダカムに回転力を付与するトルク伝達部品の形状が相違しており、シリンダ錠やサムターンによって回転されるシリンダカムの係合孔はトルク伝達部品の形状に応じて適切な形状を採るようにしている。
【０００５】
このため、シリンダ錠の破損やキーの紛失等によってシリンダ錠を他のメーカのものと交換する場合、従来は、シリンダカムを別途手配して、そのシリンダカムも同時に取り替えたり、あるいは、錠箱全体を取り替えるようにしており、きわめて不経済であった。
【０００６】
この発明の課題は、各メーカのシリンダ錠やサムターンによって回動操作できるようにしたシリンダカムを提供することである。
【０００７】
【課題を解決するための手段】
上記の課題を解決するために、この発明においては、一端が閉塞し、他端が開口する円筒部を有し、その円筒部の外周対向位置にカム片が形成された一対のカムピースを、上記円筒部の開口端を対向して結合一体化し、その一対の円筒部の突き合わせ端部内にカムプレートを組込んで回り止めし、上記各円筒部の閉塞端に円形孔を設け、その円形孔の内周対向位置に略９０°の扇形切欠部を形成し、上記カムプレートには半径方向に長い係合孔を設けた構成を採用している。
【０００８】
ここで、カムプレートの回り止めに際しては、少なくとも一方の円筒部における開口端に複数の切欠部を形成し、各切欠部にカムプレートの外周に設けた突片を嵌合する方法を採用することができる。
【０００９】
上記の構成から成るシリンダカムを回動させるシリンダ錠には、ピンシリンダの端部に帯板状のテールピースを、ピンシリンダの軸心を中心として略９０°回転可能に連結したものと、ピンシリンダの端部のテールピースにスロットを形成し、ピンシリンダのキー溝に挿入されるキーの先端部両側を上記スロットから外径方向に突出させるようにしたものとが存在する。
【００１０】
ピンシリンダの端部に帯板状のテールピースを設定角度回転可能に設けたシリンダ錠によってシリンダカムを回転させる場合は、上記テールピースを係合孔に挿通してピンシリンダの回転によりシリンダカムを回転させるようにする。
【００１１】
一方、キーの先端部をテールピースのスロットから径方向に突出させるようにしたシリンダ錠によってシリンダカムを回転させる場合は、上記キーの先端部両側を円筒部の閉塞端に形成した切欠部に挿入し、この切欠部の両側にキーの先端部両側を係合してシリンダカムを回転させるようにする。
【００１２】
【発明の実施の形態】
以下、この発明の実施の形態を図面に基づいて説明する。図１はこの発明に係るシリンダカムを示し、図２乃至図４は、そのシリンダカムを用いた引戸錠を示す。
【００１３】
図２乃至図４に示すように、引戸錠Ａが取付けられる引き戸１の戸当り面には上下方向のロッド挿入溝２が設けられている。ロッド挿入溝２の前記戸当り面と平行する底面には錠取付孔３が形成されている。
【００１４】
引戸錠Ａは、錠取付孔３に挿入される錠箱１０を有し、その錠箱１０の前面に取付けられたフロントプレート１１がロッド挿入溝２の底面に当接され、ビス止めによる手段を介して引き戸１に取付けられている。
【００１５】
錠箱１０の内部にはシリンダカム２０と、一対の摺動子３０Ａ、３０Ｂとが組込まれている。摺動子３０Ａ、３０Ｂは、シリンダカム２０の前側と後側に配置され、上部ガイド３１および下部ガイド３２によって昇降自在に支持されている。
【００１６】
ここで、上部ガイド３１は、摺動子３０Ａ、３０Ｂの上部に縦長孔３１ａを形成し、錠箱１０の側板１２に設けた突部３１ｂをその縦長孔３１ａ内にスライド自在に挿入している。
【００１７】
一方、下部ガイド３２は、錠箱１０の側板１２に縦長孔３２ａを形成し、摺動子３０Ａ、３０Ｂの下部に設けた突部３２ｂをその縦長孔３２ａ内にスライド自在に挿入している。
【００１８】
摺動子３０Ａ、３０Ｂのそれぞれにはロッド連結片３３、３４が設けられている。各ロッド連結片３３、３４はフロントプレート１１に形成された上下方向に長いガイド孔１１ａに挿通され、一方のロッド連結片３３にはロッド挿入溝２内において上下動する上部ロッド３３ａが連結され、他方のロッド連結片３４にはロッド挿入溝２内において上下動する下部ロッド３４ａが連結されている。
【００１９】
上部ロッド３３ａは上昇時に、その上端部が引戸１の上面より上方に突出して、図示省略の引戸枠の上枠に設けた係合孔に係合し、一方、下部ロッド３４ａは下降時に、引戸枠の下枠に設けた係合孔に係合して引戸１を閉錠状態に保持する。
【００２０】
また、一対の摺動子３０Ａ、３０Ｂのシリンダカム２０と対向する内側縁には切欠部３５が設けられている。
【００２１】
図１に示すように、シリンダカム２０は、一対のカムピース２１ａ、２１ｂと、その間に組込まれたカムプレート２２とから成る。一対のカムピース２１ａ、２１ｂは円筒部２３を有し、各円筒部２３の先端に小径の突軸部２３ａが設けられている。また、円筒部２３の外周対向位置にはカム片２４ａ、２４ｂが設けられている。
【００２２】
カム片２４ａとカム片２４ｂは長さが相違し、短い側のカム片２４ａの先端部には前記摺動子３０Ａ、３０Ｂの切欠部３５と係合可能の突出部２５が設けられている。
【００２３】
一対のカムピース２１ａ、２１ｂは、円筒部２３の開口端が対向し、カム片２４ａ、２４ｂが重なり合う状態において、スポット溶接による手段により結合一体化されている。
【００２４】
カムプレート２２は、円形をなしている。このカムプレート２２は、一対の円筒部２３の突き合わせ端部内に配置され、その外周には複数の突片２２ａが設けられている。突片２２ａのそれぞれは、円筒部２３の開口端に形成された切欠部２６に係合し、その係合によってカムプレート２２は回り止めされている。
【００２５】
前記カムピース２１ａ、２１ｂの円筒部２３の閉塞端には円形孔２７が形成されている。円形孔２７の内周対向位置には略９０°の扇形の第１の切欠部２８ａと、その第１切欠部２８ａ間に第２の切欠部２８ｂとが形成されている。
【００２６】
一方、カムプレート２２には、半径方向に細長い係合孔２２ｂが形成されている。この係合孔２２ｂの長さは、第２切欠部２８ｂの閉塞端間の長さに略等しくなっている。
【００２７】
上記の構成から成るシリンダカム２０は、図４に示すように、錠箱１０の対向する側板１２間に組込まれ、その側板１２に形成された図４に示す円形孔１２ａに円筒部２３の先端に設けられた前記突軸部２３ａが挿入されて回転自在に支持されている。また、シリンダカム２０の一方のカムピース２１ａに設けられた突出部２５が摺動子３０Ａ、３０Ｂに形成された切欠部３５に挿入されている。
【００２８】
図２に示すように、シリンダカム２０の上下には上部ストッパ４０および下部ストッパ４１が設けられ、各ストッパ４０、４１に対する当接によってシリンダカム２０は回転角が制限され、その回転角は略９０°とされている。
【００２９】
また、下部ストッパ４１の下方には支持軸４２が設けられ、その支持軸４２に支持されたスプリング４３の両端の弾性杆４３ａは摺動子３０Ａ、３０Ｂの上下動を案内する前記突部３１ｂに係合して外方向に変形するのが防止されている。
【００３０】
弾性杆４３ａは、一方のカムピース２１ａに設けられたカム片２４ａの端部を押圧して上部ストッパ４０および下部ストッパ４１に当接する方向にシリンダカム２０を回動させるようになっている。
【００３１】
図４に示すように、上記シリンダカム２０は、引き戸１の屋外側に取付けたシリンダ錠５０および屋内側に取付けたサムターン５１によって回動される。
【００３２】
シリンダ錠５０はキーによって回転されるピンシリンダ５２を有し、そのピンシリンダ５２の先端に帯板状のテールピース５３がピンシリンダ５２の軸心を中心として略９０°の範囲で回転し得るように回動自在に支持されている。このテールピース５３はシリンダカム２０のカムプレート２２に形成された係合孔２２ｂに挿入され、先端部は、サムターン５１の回転軸５４に形成された割溝５５に挿入されている。
【００３３】
いま、シリンダ錠５０のキー溝（図示省略）にキーを挿入してピンシリンダ５２を回転させると、ピンシリンダ５２が９０°回転するまでは、テールピース５３は空転して、ピンシリンダ５２の回転はシリンダカム２０に伝達されない。
【００３４】
上記ピンシリンダ５２が９０°回転してさらに同方向に回転すると、テールピース５３はピンシリンダ５２に対して回り止めされた状態になるため、ピンシリンダ５２と共にテールピース５３が回転する。このとき、テールピース５３はカムプレート２２の係合孔２２ｂに挿入されているため、シリンダカム２０が回転し、そのシリンダカム２０の回転により、一対の摺動子３０Ａ、３０Ｂが相反する方向に移動すると共に、上部ロッド３３ａおよび下部ロッド３４ａが軸方向に移動する。
【００３５】
また、サムターン５１を９０°回転すると、テールピース５３はピンシリンダ５２に対してフリー回転し、その回転によってシリンダカム２０が回転し、前記と同様に、一対の摺動子３０Ａ、３０Ｂが相反する方向に移動して、上部ロッド３３ａおよび下部ロッド３４ａが軸方向に移動する。
【００３６】
ここで、シリンダカム２０を図２の実線に示す位置から鎖線に示す位置まで回転させると、上部ロッド３３ａが上方に移動し、一方、下部ロッド３４ａが下方に移動して各ロッド３３ａ、３４ａの先端部が係合孔に係合し、引き戸１は施錠状態とされる。また、シリンダカム２０を上記と逆の方向に回転すると、各ロッド３３ａ、３４ａの先端部が係合孔から引き抜かれて引き戸１は開錠状態とされる。
【００３７】
シリンダカム２０を回転させるシリンダ錠５０とサムターン５１は、図４に示すものの他、図６に示すものが存在する。
【００３８】
図６に示すシリンダ錠５０はピンシリンダ５６の丸軸から成るテールピース５７に図７に示すように、スロット５８を形成し、そのシリンダ錠５０のキー溝に挿入されるキー５９の先端部両側を上記スロット５８からテールピース５７の外径方向に突出させるようにしている。一方、サムターン５１には図５に示すように、回転軸６０の外周に４本の突条６１を９０°の間隔をおいて形成している。
【００３９】
上記の構成から成るシリンダ錠５０とサムターン５１は、テールピース５７の先端と回転軸６０の先端との間に所要の間隔があく対向配置の使用態様とされる。
【００４０】
上記のシリンダ錠５０とサムターン５１を引戸錠に用いる場合は、図６に示すように、シリンダ錠５０のテールピース５７が一方のカムピース２１ａにおける円形孔２７に挿入され、一方、サムターン５１の回転軸６０が他方のカムピース２１ｂにおける円形孔２７に挿入され、外周の突条６１が第１切欠部２８ａに挿入されるようにしてシリンダ錠５０およびサムターン５１を引き戸１に取付ける。
【００４１】
上記のような取付けにおいて、シリンダ錠５０のキー溝にキー５９を挿入すると、キー５９の先端部両側が第１切欠部２８ａに挿入される。そこで、キー５９を回転すると、キー５９の先端部両側は第１切欠部２８ａ内において空転し、第１切欠部２８ａの側部に当接すると、キー５９の回転はシリンダカム２０に伝達されてシリンダカム２０が回転する。
【００４２】
一方、サムターン５１を回転すると、図５に示すように、回転軸６０の外周に設けた突条６１は第１切欠部２８ａの両側に係合しているため、サムターン５１の回転はシリンダカム２０に伝達され、シリンダカム２０が回転する。
【００４３】
このように、シリンダカム２０を、円筒部２３を有する一対のカムピース２１ａ、２１ｂと、カムプレート２２の３部品で形成し、上記円筒部２３の閉塞端に円形孔２７を形成し、その円形孔２７の内周対向位置に９０°の扇形の第１切欠部２８ａを設け、カムプレート２２には細長い係合孔２２ｂを形成したことによって、種類の異なるシリンダ錠５０によってシリンダカム２０を回転させることができ、引戸錠Ａに使用されているシリンダ錠５０が他のメーカのシリンダ錠５０に取り替えられても、シリンダカム２０を取り替えることなく対応することができ、きわめて経済的である。
【００４４】
実施の形態においては、引戸錠Ａのシリンダカム２０を例にとって説明したが、シリンダカム２０は引戸錠Ａのものに限定されるものではない。例えば、開き戸錠に使用されるシリンダカムであってもよい。
【００４５】
【発明の効果】
以上のように、この発明に係るシリンダカムにおいては、円筒部を有する一対のカムピースとカムプレートとで形成し、円筒部の閉塞端に設けられた円形孔の内周対向位置に略９０°の切欠部を形成し、カムプレートには半径方向に長い係合孔を設けたので、種類の異なるシリンダ錠とサムターンのそれぞれによってシリンダカムを回転させることができ、錠前に取付けられたシリンダ錠が他のメーカのシリンダ錠に取り替えられても、シリンダカムを取り替える必要がなくなり、きわめて経済的である。
【図面の簡単な説明】
【図１】（Ｉ）はこの発明に係るシリンダカムの分解斜視図、（II）は組立て状態の斜視図
【図２】同上のシリンダカムを用いた引戸錠の一部切欠正面図
【図３】同上の一部切欠斜視図
【図４】図２のIV−IV線に沿った断面図
【図５】同上引戸錠に他のメーカのシリンダ錠を取付けた状態の一部切欠正面図
【図６】図５のVI−VI線に沿った断面図
【図７】同上のシリンダ錠とシリンダカムの結合部を示す断面図
【符号の説明】
２１ａ、２１ｂ  カムピース
２２  カムプレート
２３  円筒部
２７  円形孔
２８ａ  第１切欠部
【図１】
0004149040.tif 000002
【図２】
0004149040.tif 000003
【図３】
0004149040.tif 000004
【図４】
0004149040.tif 000005
【図５】
0004149040.tif 000006
【図６】
0004149040.tif 000007
【図７】
0004149040.tif 000008